(57)【要約】【課題】複数本の横架材を連結して座席を支持するための支持レールを構築するに際し、隣接する横架材と横架材との継目に表れる端縁を好適に被覆する。【解決手段】所定方向に伸長する複数本の横架材３１が間隙を隔てて連結される、座席６を支持するための支持レール３と、隣接する一方の横架材３１の端面と他方の横架材３１の端面との間隙に差し入りそれら横架材３１の端面の少なくとも一部に当接若しくは近接する差入部４２を有したカバー部材４と具備する座席支持用構造体を構成した。【選択図】図１
2020000499.tif 000002
【特許請求の範囲】
【請求項１】
所定方向に伸長する複数本の横架材が間隙を隔てて連結される、座席を支持するための支持レールと、
隣接する一方の横架材の端面と他方の横架材の端面との間隙に差し入りそれら横架材の端面の少なくとも一部に当接若しくは近接する差入部を有したカバー部材と
を具備する座席支持用構造体。
【請求項２】
前記カバー部材が、前記差入部から横架材の伸長方向に沿って拡張し横架材の端面と交わる当該横架材の外周の少なくとも一部に当接若しくは近接する外装部を有している請求項１記載の座席支持用構造体。
【請求項３】
前記横架材に、その他の部位よりも突出する突起が設けられ、その突起が横架材の端面にまで至っており、
前記カバー部材が、前記横架材の端部において、前記突起の端面に当接若しくは近接し同突起の外周に当接若しくは近接する請求項１または２記載の座席支持用構造体。
【請求項４】
所定方向に伸長し端部が中空である複数本の横架材が間隙を隔てて連結される、座席を支持するための支持レールと、
隣接する一方の横架材の端部及び他方の横架材の端部の双方に挿入されてこれらに嵌合する嵌合部、並びに、両嵌合部の間にあって両横架材の端面と端面との間隙に差し入り当該端面の少なくとも一部に当接若しくは近接しかつその外周が当該端面と交わる横架材の外周の少なくとも一部と面一若しくは略面一となるかそれよりも外方に突出するスペーサを有したジョイント部材と
を具備する座席支持用構造体。
【請求項５】
前記横架材に、その他の部位よりも突出する突起が設けられ、その突起が横架材の端面にまで至っており、
前記ジョイント部材のスペーサが、前記横架材の端部において、前記突起の端面に当接若しくは近接しかつ同突起の外周と面一若しくは略面一となるかそれよりも外方に突出する請求項４記載の座席支持用構造体。
【請求項６】
前記突起に、前記支持レールに支持される座席が係合し、または、前記支持レールを支持する支持体が係合する請求項３または５記載の座席支持用構造体。
【請求項７】
前記横架材の上方及び下方にそれぞれ前記突起が設けられ、その上方の側の突起に前記支持レールに支持される座席が係合し、下方の側の突起に前記支持レールを支持する支持体が係合するとともに、
前記カバー部材が上下に分割されており、その一方の部品が下方から前記横架材の端面と端面との間隙に差し入って当該横架材の下方の側の端面及び外周を被覆し、他方の部品が上方から横架材の端面と端面との間隙に差し入って当該横架材の上方の側の端面及び外周を被覆する請求項３記載の座席支持用構造体。
【請求項８】
前記カバー部材が、前記横架材の端部における、座席に着く人にとって前方にあたる側の端面及び外周を被覆する請求項１、２、３または７記載の座席支持用構造体。
【請求項９】
前記外装部の座席に着く人にとって後方にあたる側の部分の幅寸が、同外装部の座席に着く人にとって前方にあたる側の部分の幅寸よりも大きい請求項２記載の座席支持用構造体。
【請求項１０】
前記差入部の座席に着く人にとって前方にあたる側の部分の面積が、同差入部の座席に着く人にとって後方にあたる側の部分の面積よりも大きい請求項１、２、３、７、８または９記載の座席支持用構造体。
【請求項１１】
前記横架材の端部が中空であり、
隣接する一方の横架材の端部及び他方の横架材の端部の双方に挿入されてこれらに嵌合する嵌合部、並びに、両嵌合部の間にあって両横架材の端面と端面との間隙に差し入り当該端面の少なくとも一部に当接若しくは近接するスペーサを有したジョイント部材を具備し、
前記横架材の端面と端面との間隙に前記差入部及び前記スペーサが介在する請求項１、２、３、７、８、９または１０記載の座席支持用構造体。
【発明の詳細な説明】
【技術分野】
【０００１】
本発明は、例えばスタジアム等に設けられる座席を支持するための構造体に関する。
【背景技術】
【０００２】
スタジアム等に多数基の座席を設置する構造の具体例として、下記特許文献に開示されているように、土台となる段床に支持体となる脚を固着し、その脚に幅方向に延伸する支持レール（または、ビーム）を横架して、この支持レールに沿って座席を配列する態様を挙げることができる。
【０００３】
規模の大きなスタジアム等では、必然的に座席数が多くなり、それら座席を支持する支持レールも長尺なものとなる。長尺な支持レールは、所定方向に伸長する複数本の横架材を連結することで構成される。
【０００４】
横架材は、アルミニウム合金等の金属材料を押出成形し適宜の長さに切断して作製することが通例である。故に、横架材の外周面と端面とが交わる端縁が鋭利になる。そして、支持レールは、座席の下方、着席した人の手や足が届き得る位置に所在する。従って、横架材と横架材との継目に表れる端縁に、人の手が触れたり衣服や鞄等が引っ掛かったりすることが懸念される。
【０００５】
特に、横架材に外方に突出する突起が成形され、その突起が横架材の端面にまで至っている場合、問題が顕在化する。即ち、張り出す突起の外周面と端面とが交差する箇所に形成される端縁に、手や衣服等がより接触しやすくなる。
【先行技術文献】
【特許文献】
【０００６】
【特許文献１】特開２０１２−２３９６０４号公報
【発明の概要】
【発明が解決しようとする課題】
【０００７】
本発明は、複数本の横架材を連結して座席を支持するための支持レールを構築するに際し、隣接する横架材と横架材との継目に表れる端縁を好適に被覆することを所期の目的としている。
【課題を解決するための手段】
【０００８】
本発明では、所定方向に伸長する複数本の横架材が間隙を隔てて連結される、座席を支持するための支持レールと、隣接する一方の横架材の端面と他方の横架材の端面との間隙に差し入りそれら横架材の端面の少なくとも一部に当接若しくは近接する差入部を有したカバー部材と具備する座席支持用構造体を構成した。
【０００９】
さらに、前記カバー部材は、前記差入部から横架材の伸長方向に沿って拡張し横架材の端面と交わる当該横架材の外周の少なくとも一部に当接若しくは近接する外装部を有していることが好ましい。
【００１０】
並びに、本発明では、所定方向に伸長し端部が中空である複数本の横架材が間隙を隔てて連結される、座席を支持するための支持レールと、隣接する一方の横架材の端部及び他方の横架材の端部の双方に挿入されてこれらに嵌合する嵌合部、並びに、両嵌合部の間にあって両横架材の端面と端面との間隙に差し入り当該端面の少なくとも一部に当接若しくは近接しかつその外周が当該端面と交わる横架材の外周の少なくとも一部と面一若しくは略面一となるかそれよりも外方に突出するスペーサを有したジョイント部材とを具備する座席支持用構造体を構成した。
【００１１】
前記横架材に、その他の部位よりも突出する突起が設けられ、その突起が横架材の端面にまで至っている場合には、前記カバー部材が、前記横架材の端部において、前記突起の端面に当接若しくは近接し同突起の外周に当接若しくは近接する、または、前記ジョイント部材のスペーサが、前記横架材の端部において、前記突起の端面に当接若しくは近接しかつ同突起の外周と面一若しくは略面一となるかそれよりも外方に突出することが好ましい。
【００１２】
前記突起には、前記支持レールに支持される座席が係合し、または前記支持レールを支持する支持体が係合することができる。つまり、突起は、支持レールと座席との結合、または支持レールと支持体との結合に利用できる。
【００１３】
前記横架材の上方及び下方にそれぞれ前記突起が設けられ、その上方の側の突起に前記座席が係合し、下方の側の突起に前記支持体が係合するとともに、前記カバー部材が上下に分割されており、その一方の部品が下方から前記横架材の端面と端面との間隙に差し入って当該横架材の下方の側の端面及び外周を被覆し、他方の部品が上方から横架材の端面と端面との間隙に差し入って当該横架材の上方の側の端面及び外周を被覆するものとすれば、座席または支持体に設けられた係合部とカバー部材との干渉を避けることができ、支持レールに対する座席または支持体の取付位置を任意に設定または柔軟に変更できるようになる。隣接する横架材と横架材との間隙に重なるように、即ち両横架材の端部の双方に跨るように座席の係合部が係合する場合には、カバー部材の上方の部品をオミットし、下方の部品のみをその間隙に装着すればよい。隣接する横架材と横架材との間隙に重なるように支持体の係合部が係合する場合には、カバー部材の下方の部品をオミットして上方の部品のみをその間隙に装着すればよい。加えて、カバー部材が上下に分割されていることで、当該カバー部材を支持レールに装着しまたは支持レールから脱離する作業がより容易となる。
【００１４】
前記カバー部材が、前記横架材の端部における、座席に着く人にとって前方にあたる側の端面及び外周を被覆するならば、人の手の届きやすい箇所をカバー部材により被覆でき、人の手指が横架材の鋭利な端縁に触れることを効果的に抑止できる。
【００１５】
前記カバー部材に関して、前記外装部の座席に着く人にとって後方にあたる側の部分の幅寸を、同外装部の座席に着く人にとって前方にあたる側の部分の幅寸よりも大きく設定することがある。
【００１６】
また、前記差入部の座席に着く人にとって前方にあたる側の部分の面積が、同差入部の座席に着く人にとって後方にあたる側の部分の面積よりも大きいものであれば、支持レールに装着したカバー部材の前方側、即ち人の手の届きやすい側が外れにくくなる。
【００１７】
前記横架材の端部が中空であり、隣接する一方の横架材の端部及び他方の横架材の端部の双方に挿入されてこれらに嵌合する嵌合部、並びに、両嵌合部の間にあって両横架材の端面と端面との間隙に差し入り当該端面の少なくとも一部に当接若しくは近接するスペーサを有したジョイント部材を具備し、前記横架材の端面と端面との間隙に前記差入部及び前記スペーサが介在する構造体とすれば、ジョイント部材を介して容易に複数本の横架材を連結でき、かつそのスペーサにより横架材と横架材との継目の部分にカバー部材が差し入る間隙を適切に確保できる。
【発明の効果】
【００１８】
本発明によれば、複数本の横架材を連結して座席を支持するための支持レールを構築するに際して、隣接する横架材と横架材との継目に表れる端縁を好適に被覆することができる。
【図面の簡単な説明】
【００１９】
【図１】本発明の一実施形態の座席支持用構造体及び座席を示す斜視図。
【図２】同実施形態の座席支持用構造体の支持レール及びカバー部材を示す斜視図。
【図３】同実施形態の座席支持用構造体の支持レール及びカバー部材を示す分解斜視図。
【図４】同実施形態の座席支持用構造体の支持レール及びジョイント部材を示す分解斜視図。
【図５】同実施形態の座席支持用構造体及び座席を示す正面図。
【図６】同実施形態の座席支持用構造体及び座席を示す側面図。
【図７】同実施形態のカバー部材を示す側面図。
【図８】同実施形態のカバー部材を示す底面図。
【図９】同実施形態の支持レール、カバー部材及びジョイント部材を示す側断面図。
【図１０】同実施形態の支持レール、カバー部材及びジョイント部材を示す正断面図。
【図１１】同実施形態の支持レール及びカバー部材を示す平面図。
【図１２】本発明の変形例の座席支持用構造体の支持レール及びジョイント部材を示す斜視図。
【図１３】同変形例の支持レール及びジョイント部材を示す側断面図。
【発明を実施するための形態】
【００２０】
本発明の一実施形態を、図面を参照して説明する。図１、図５及び図６に、本実施形態の座席支持用構造体及びこれを用いて配設される座席６を示す。本実施形態の座席支持用構造体は、土台（または、躯体）となる段床１に固定される支持体たる脚２と、この脚２に支持され所定方向即ち幅方向に延伸する支持レール３と、支持レール３を構成する横架材３１の継目即ち隣接する横架材３１と横架材３１との間隙３２に装着されてこれを被覆するカバー部材４とを具備する。そして、複数基の座席６が、支持レール３に沿って配列され、その各々が支持レール３により支持される。
【００２１】
段床１は、従前は現場打ちでコンクリートを打設して構築されていたが、近時では、予め工場等で作製された複数個のプレキャストコンクリートブロック１１を現場で結合することで構築されることも増えている。図５に示すように、複数個のコンクリートブロック１１を接合して段床１を形成する場合、それらコンクリートブロック１１間の目地１２には、弾性変形して伸縮可能なシール材や接着剤等が敷設される。
【００２２】
脚２は、段床１の直立した前向面１３または水平な上向面１４にコンクリートプラグやアンカー等を使用して固着する基部２１と、支持レール３に係合してこれを保持する係合部２３と、基部２１から延出し係合部２３に接続して両者を剛結する接続部２２とを備える。図示例では、脚２の基部２１を段床１の前向面１３に固着し、脚２を段床１の上向面１４から浮上させているが、これは清掃作業の容易性を考慮してのことである。脚２は複数存在し、それらが支持レール３を複数箇所で支持している。換言すれば、支持レール３が複数の脚２に跨って横架される。
【００２３】
座席６は、着席する人の臀部が載せ置される座６１と、同人の腰部ないし背中が凭れ掛かる背凭れ６２と、座６１及び背凭れ６２の左右両側にあって座６１と背凭れ６２とを連結しつつこれらを支える支桿６３とを備える。座６１は、背凭れ６２に対して相対的に回動可能となっており、図１及び図５に示すように座６１を跳ね上げて通路を確保する状態と、図６に示すように座６１を前方に倒して水平姿勢とし人が着席できる状態とを、選択的にとることができる。支桿６３の下端部には、支持レール３に係合してこれを保持する係合部６４が設けられている。
【００２４】
支持レール３は、幅方向に伸長する複数本の横架材３１が連結されてなるものである。支持レール３の構成要素となる各横架材３１は、例えばアルミニウム合金等の金属材料を押出成形した後、適宜の長さに切断することで作製され、等断面形状をなしている。図１ないし図４に示すように、横架材３１は、その下縁部及び上縁部に、他の部位と比較して外方に突出した突起である凸条３１１、３１２を有する。座席６に着く人から見て前方にあたる側にある凸条３１１は、支持レール３及び横架材３１の前向面よりも前方に迫り出している。並びに、座席６に着く人から見て後方にあたる側にある凸条３１２は、支持レール３及び横架材３１の後向面よりも後方に迫り出している。凸条３１１、３１２は、横架材３１それ自体とともに幅方向に伸長し、横架材３１の両端面３１３にまで到達している。
【００２５】
脚２の係合部２３は、支持レール３（を構成する横架材３１）の下半部に、下方から係合する。より具体的には、支持レール３の下方の凸条３１１、３１２を前後両側から包囲するようにくわえ込みながら、支持レール３の外周面である下面、下半部の前向面及び後向面、並びに凸条３１１、３１２の上向面に当接する。これにより、支持レール３が脚２に対してがたついたりぐらついたりすることを抑止している。なお、係合部２３が複数個の部材に分割されており、それら部材をボルト及びナット等を使用して相互に締結することで当該係合部２３が構成されることがある。
【００２６】
座席６の支桿６３の係合部６４は、支持レール３（を構成する横架材３１）の上半部に、上方から係合する。より具体的には、支持レール３の上方の凸条３１１、３１２を前後両側から包囲するようにくわえ込みながら、支持レール３の外周面である上面、上半部の前向面及び後向面、並びに凸条の下向面に当接する。これにより、座席６の支桿６３が支持レール３に対してがたついたりぐらついたりすることを抑止している。なお、係合部６４が複数個の部材に分割されており、それら部材をボルト及びナット等を使用して相互に締結することで当該係合部６４が構成されることがある。
【００２７】
支持レール３を構成する複数本の横架材３１を連結するにあたっては、ジョイント部材５を使用する。図４、図９及び図１０に示すように、各横架材３１は、少なくともその左右両端部が中空である。そして、ジョイント部材５は、隣接する一方の横架材３１の中空の端部及び他方の横架材３１の中空の端部の各々に挿入されてこれらに嵌合する左右一対の嵌合部５１と、両嵌合部５１の間にあって両横架材３１の端面３１３と端面３１３との間隙３２に差し入るスペーサ５２とを備えており、隣接する両横架材３１を相互に連結することができる。ジョイント部材５は、例えばポリアミド等の樹脂材料を用いた硬質な一体成形品である。
【００２８】
スペーサ５２は、嵌合部５１の外周面よりも外方に突出、即ち前方、上方、後方及び下方に突出し、かつ嵌合部５１の外周に沿って一周連続した鍔状の薄片であり、複数本の横架材３１を間隙３２を隔てて連結するために利用できる。但し、スペーサ５２を、所々切断された、一周連続していない間欠的な形状に成形しても構わない。差入部４２は、嵌合部５１に対して直交若しくは略直交し、左右の嵌合部５１の中央若しくは略中央に位置している。スペーサ５２は、後述するカバー部材４の差入部４２と比較して固い。換言すれば、スペーサ５２は差入部４２と比較して弾性率がより大きく、同等の大きさの応力が作用した場合にスペーサ５２よりも厚みが伸縮しにくい。
【００２９】
図１０に示すように、本実施形態では、スペーサ５２の厚み幅Ｄ２を、隣接する二本の横架材３１の間隙３２の幅、即ち一方の横架材３１の端面３１３と他方の横架材３１の端面３１３との離間距離よりも小さくとっている。つまるところ、隣接する二本の横架材３１を連結する際に、それら横架材３１の間隙３２の幅を、スペーサ５２の厚みＤ２よりも多少拡げておくようにしている。よって、スペーサ５２は、連結した二本の横架材３１の一方または両方の端面３１３から少しく離間した状態にある。横架材３１の間隙３２の幅は、３ｍｍないし３．５ｍｍの範囲内の値に設定することが好ましい。
【００３０】
既に述べた通り、支持レール３を構成する横架材３１は押出成形品であり、横架材３１の外周面と端面３１３とが交わる（特に、直交若しくは略直交する）端縁が鋭利である。とりわけ、本実施形態では、横架材３１に、脚２の係合部２３や座席６の支桿６３の係合部６４が係合するための凸条３１１、３１２を外方即ち前方及び後方に突出させており、凸条３１１、３１２の外周面と横架材３１の端面３１３とが交わる端縁が前方及び後方に張り出すことから、座席６に着席する人の手や衣服、鞄等がその端縁に触れやすくなる。
【００３１】
そこで、本実施形態では、隣接する二本の横架材３１の端面３１３同士が間隙３２を隔てて対向する支持レール３の継目に、鋭利な端縁、特に凸条３１１、３１２の端縁を被覆するためのカバー部材４を装着することとしている。図１ないし図３、図７及び図８に示すように、カバー部材４は、互いに向き合う両横架材３１の端面３１３と端面３１３との間隙３２に差し入る差入部４２と、この差入部４２から横架材３１の伸長方向に沿って拡張する外装部４３とを備える。カバー部材４は、例えばポリプロピレン等の樹脂材料を用いた一体成形品であり、人の手の力である程度曲げられるような柔軟性を有している。
【００３２】
本実施形態にあって、カバー部材４は、上方の部品４１と下方の部品４１とに二分されている。下方の部品４１は、下方から両横架材３１の端面３１３と端面３１３との間隙３２に差し入り、それら横架材３１の端部における下半部の端面３１３及び外周面を被覆する。並びに、上方の部品４１は、上方から両横架材３１の端面３１３と端面３１３との間隙３２に差し入り、それら横架材３１の端部における上半部の端面３１３及び外周面を被覆する。尤も、上方の部品４１と下方の部品４１とは共通である。上方の部品４１の形状と下方の部品４１の形状とは同一であり、しかもそれらが水平面に関して対称となっている。故に、上方の部品４１をひっくり返して下方の部品４１として使用することも、下方の部品４１をひっくり返して上方の部品４１として使用することも可能である。
【００３３】
カバー部材４を構成する部品４１の形状について補記する。図２、図３、図７ないし図９に示すように、外装部４３は、側面視または側断面視における横架材３１の輪郭の形状、即ち横架材３１の前向面から前方の凸条３１１、横架材３１の上面、後方の凸条３１２そして横架材３１の後向面に至る外周に合わせて、当該横架材３１の上半部または下半部を取り巻くような形状を有する。同時に、この外装部４３は、差入部４２から幅方向に沿って左右両側方に拡張した平板状をなしている。
【００３４】
図２、図９及び図１０に示すように、カバー部材４（の各部品４１）を隣接する横架材３１の端部の継目３２に装着したとき、その外装部４３の前壁４３１が両横架材３１の端部における前向面に当接若しくは近接し、頂壁４３３が両横架材３１の端部における上面または下面に当接若しくは近接し、後壁４３５が両横架材３１の端部における後向面に当接若しくは近接する。さらに、外装部４３における、前方に膨出するように湾曲しながら前壁４３１と頂壁４３３とを繋ぐ膨出壁４３２が、両横架材３１の端部における前方の凸条３１１に沿うようにしてこれに当接若しくは近接する。また、外装部４３における、後方に膨出するように湾曲しながら頂壁４３３と後壁４３５とを繋ぐ膨出壁４３４が、両横架材３１の端部における後方の凸条３１２に沿うようにしてこれに当接若しくは近接する。結果として、カバー部材４の外装部４３が、隣接する二本の横架材３１の各々の端部及び両者の間隙３２を外方より遮蔽、被覆する。
【００３５】
外装部４３は、座席６に着く人にとって後方にあたる側の部分４３４、４３５の幅寸Ｗ２を、同外装部４３の座席６に着く人にとって前方にあたる側の部分４３１、４３２の幅寸Ｗ１よりも大きくとっている。具体的には、後壁４３５、後方の膨出壁４３４及びこれに連なる頂壁４３３の後端部の幅寸Ｗ２が、前壁４３１、前方の膨出壁４３２及びこれに連なる頂壁４３３の前端部の幅寸Ｗ１よりも少しく拡大している。頂壁４３３は、後端部から前端部に向かうにつれて、その幅寸が徐々に縮小する。このように外装部４３の幅寸Ｗ１、Ｗ２を設定する理由は、第一に、カバー部材４の各部品４１の前後を明確にするためである。第二に、図１１に示すように、支持レール３を完全に一直線状とするのではなく、座席６を設置するスタジアム等の形状に合わせて緩やかに湾曲させる、つまり平面視において隣接する二本の横架材３１の一方を他方に対して一度ないし数度程度の角度だけ前方に傾けた上で両者を連結する場合において、それら横架材３１の端面３１３と端面３１３との間隙３２を外装部４３により前後両方から適切に遮蔽するためである。
【００３６】
図３、図７ないし図９に示すように、差入部４２は、外装部４３の内周から内方に突出、即ち前壁４３１及び前方の膨出壁４３２から後方に、頂壁４３３から下方（上方の部品４１）または上方（下方の部品４１）に、かつ後壁４３５及び後方の膨出壁４３４から前方に突出した薄片である。差入部４２は、外装部４３に対して直交若しくは略直交し、外装部４３の幅寸Ｗ１、Ｗ２の中央若しくは略中央に位置している。差入部４２は、前述したジョイント部材５の鍔状のスペーサ５２と比較して柔らかい。換言すれば、差入部４２はスペーサ５２と比較して弾性率がより小さく、同等の大きさの応力が作用した場合にスペーサ５２よりも厚みが大きく伸縮する。
【００３７】
図８及び図１０に示すように、差入部４２の厚み幅Ｄ１は、隣接する二本の横架材３１の間隙３２の幅、即ち一方の横架材３１の端面３１３と他方の横架材３１の端面３１３との離間距離と同等若しくは略同等（間隙３２の幅よりも僅かに大きいか僅かに小さい）である。図２、図９及び図１０に示すように、カバー部材４（の各部品４１）を隣接する横架材３１の端部の継目３２に装着したとき、この差入部４２が横架材３１の端面３１３と端面３１３との間隙３２に差し入り、それら横架材３１の端面３１３に当接若しくは近接して、端面３１３の殆ど全てを被覆する。通常は、差入部４２が、両横架材３１の端面３１３と端面３１３との間隙３２に緊密に嵌合して、両横架材３１の端面３１３に密接する。
【００３８】
従って、カバー部材４の外装部４３と差入部４２とにより、横架材３１の端部における外周面と端面３１３とが交わる鋭利な端縁が隠蔽される。特に、凸条３１１、３１２の外周面と端面３１３とが交わる端縁が隠蔽されて、この端縁に人の手や衣服、鞄等が触れることが防がれる。
【００３９】
図９及び図１０に示しているように、ジョイント材を用いて二本の横架材３１の端部同士を連結し、かつそれら横架材３１の間隙３２にカバー部材４を装着したとき、ジョイント部材５のスペーサ５２とカバー部材４の差入部４２とが、横架材３１の間隙３２内で内外方向に沿って対向する。
【００４０】
なお、図７及び図９に示すように、側面視または側断面視において、差入部４２の座席６に着く人にとって前方にあたる側の部分４２１の面積が、同差入部４２の座席６に着く人にとって後方にあたる側の部分４２２の面積よりも大きくなっている。具体的には、差入部４２における、外装部４３の後方の膨出壁４３４に囲われた部分４２２を一部切り欠くことで、差入部４２の後方側の部分４２２の面積を、外装部４３の前方の膨出壁４３２に囲われた部分４２１の面積よりも縮小している。
【００４１】
これにより、カバー部材４を構成する各部品４１について、その後方側の部位４３４、４３５が前方側の部位４３１、４３２よりも弾性変形しやすくなり、例えば、後壁４３５及び後方の膨出壁４３４を後上方（上方の部品４１）または後下方（下方の部品４１）に曲げるような操作が容易となる。加えて、横架材３１の間隙３２に差し入る差入部４２の後方側の部分４２２と横架材３１の端面３１３との摩擦がより小さく、前方側の部分４２１と横架材３１の端面３１３との摩擦がより大きくなる。その帰結として、支持レール３の継目３２に装着したカバー部材４の前方側、即ち座席６に着席した人の手の届きやすい側がより外れにくくなり、一方でカバー部材４の後方側、即ち着席した人の手の届きにくい側がより外れやすくなる。
【００４２】
カバー部材４の各部品４１を支持レール３の継目３２に装着しようとする際には、先に差入部４２の前方側を横架材３１の間隙３２に前方から挿入若しくは圧入し、外装部４３の前壁４３１及び前方の膨出壁４３２を横架材３１の端部の前向面及び前方の凸条３１２に当接若しくは近接させる。次に、差入部４２の上方側（上方の部品４１）または下方側（上方の部品４１）を横架材３１の間隙３２に上方または下方から挿入若しくは圧入し、外装部４３の頂壁４３３を横架材３１の端部の上面または下面に当接若しくは近接させる。しかる後、差入部４２の後方側を横架材３１の間隙３２に後方から挿入若しくは圧入して、外装部４３の後壁４３５及び後方の膨出壁４３４を横架材３１の端部の後向面及び後方の凸条３１２に当接若しくは近接させる。
【００４３】
翻って、装着しているカバー部材４の各部品４１を支持レール３の継目３２から脱離させるためには、まず、外装部４３の後壁４３５及び後方側の膨出壁４３４を横架材３１の端部から後方に引き離すようにし、差入部４２の後方側を横架材３１の間隙３２から抜出する。次に、外装部４３の頂壁４３３及びを横架材３１の端部から上方（上方の部品４１）または下方（下方の部品４１）に引き離すようにし、差入部４２の上方側または下方側を横架材３１の間隙３２から抜出する。最後に、外装部４３の前壁４３１及び前方側の膨出壁４３２を横架材３１の端部から前方に引き離すようにして、差入部４２の前方側を横架材３１の間隙３２から抜出する。
【００４４】
金属製の横架材３１は、温度変化に伴いその長さが伸縮する。また、地震が発生した場合には、段床１を構成するコンクリートブロック１１及びこれに固定された脚２が揺れ動き、脚２に支持された横架材３１が座席６とともに揺さ振られる。支持レール３を構築するにあたり、隣接する横架材３１の端面３１３と端面３１３と密接させず間隙３２を隔てて連結しているのは、横架材３１が隣の横架材３１と衝突せずに変位することのできる空間を予め確保し、伸縮や地震等によって横架材３１に過大な応力集中が起こることを回避または抑制するためである。ジョイント部材５のスペーサ５２の厚みＤ２を横架材３１の間隙３２の幅及びカバー部材４の差入部４２の厚みＤ１よりも薄くしていること、並びに、カバー部材４の差入部４２を比較的柔らかくしていることも、横架材３１に過大な応力が作用して横架材３１が破損することを防止するという目的に寄与する。
【００４５】
図５に示すように、隣り合う二つの脚２が、互いに別個のコンクリートブロック１１に固定されることがある。このとき、これら二つの脚２が同じ一本の横架材３１に結合されていると、地震発生時に各コンクリートブロック１１が別々の方向に運動し、それぞれの脚２もまた互いに別方向に運動して、それら脚２が支えている横架材３１の破損を惹起するおそれがある。
【００４６】
そこで、隣り合う二つの脚２が互いに別個のコンクリートブロック１１に固定されるときに、その一方の脚２が係合する横架材３１と、他方の脚２が係合する横架材３１とが切り離されているように、脚２及び横架材３１を配置することとする。本実施形態では、一方の脚２が係合する横架材３１と、他方の脚２が係合する横架材３１との間に、それら横架材３１よりも短尺な中間の横架材３１を介在させている。この中間の横架材３１は、一方の脚２が係合する横架材３１からも、他方の脚２が係合する横架材３１からも切り離されて別体をなしている。言うまでもなく、一方の脚２が係合する横架材３１と、他方の脚２が係合する横架材３１とは別体である。中間の横架材３１には、コンクリートブロック１１に固定される脚２が係合しない、即ち脚２によって直接には支持されない。二個のコンクリートブロック１１の境である目地１２は、中間の横架材３１に重なる位置に所在する。
【００４７】
また、図５に示しているように、座席６の支桿６３に設けた係合部６４が、隣接する二本の横架材３１の双方の端部に跨るように係合する、換言すれば支持レール３の継目３２に覆い被さるように係合することがある。この場合において、係合部６４は各横架材３１の凸条３１１、３１２を含む外周に緊密に嵌合して強固に結着しているため、両横架材３１の端面３１３間に間隙３２を設けているといえども、それら横架材３１は（部材として切り離され別体をなしているにもかかわらず）係合部６４によって一体化した状態となる。つまり、隣接する二本の横架材３１の一方が他方に対して相対的に変位することが妨げられる。脚２に設けている係合部２３が、隣接する二本の横架材３１の双方の端部に跨るように係合する場合も、同様である。
【００４８】
そして、座席６の係合部６４または脚２の係合部２３が、中間の横架材３１の左端部とその左隣の横架材３１の右端部とに跨るように係合し、かつ同じ中間の横架材３１の右端部とその右隣の横架材３１の左端部とに跨るように係合すると、中間の横架材３１を含む三本の横架材３１が一体化してしまい、別々のコンクリートブロック１１に固定されている二つの脚２が一本の横架材３１に結合されるのと同じ状況に陥ることとなる。さすれば、横架材３１自体の伸長や地震の発生等により、何れかの横架材３１に過大な応力が集中しかねない。
【００４９】
この問題を回避するべく、本実施形態では、一本の横架材３１（特に、中間の横架材３１）の一方側の端部とこれに隣接する別の横架材３１の端部との双方に跨るように何れかの座席６または脚２の係合部６４、２３が係合する場合、同横架材３１（中間の横架材３１）の他方側の端部とこれに隣接する別の横架材３１の端部との双方に跨るように何れかの座席６または脚２の係合部６４、２３が係合しないように、横架材３１の長さを設定している。具体的には、中間の横架材３１の長さを、一基の座席６の左右両側に設けられる一対の係合部６４の離間距離即ち両係合部６４の内法と同程度にまたはそれよりも短くすることで、座席６の両側の係合部６４が一本の中間の横架材３１の左右両側にある継目３２に同時に被さって係合する可能性を縮小している。
【００５０】
座席６の数は任意に増減させることができ、その配置レイアウトも支持レール３の延伸方向に沿って任意に変更することができる。因みに、支持レール３に係合する座席６の係合部６４の下縁は、支持レール３の継目３２に装着されるカバー部材４の下方の部品４１の（前壁４３１及び後壁４３５の）上縁よりも上方に位置している。図５に示しているように、何れかの座席６の係合部６４が支持レール３の継目３２に被さって係合する場合、その継目３２にはカバー部材４の上方の部品４１を装着せず、下方の部品４１のみを装着する。
【００５１】
加えて、支持レール３に係合する脚２の係合部２３の上縁は、支持レール３の継目３２に装着されるカバー部材４の上方の部品４１の（前壁４３１及び後壁４３５の）下縁よりも上方に位置している。何れかの脚２の係合部２３が支持レール３の継目３２に被さって係合する場合、その継目３２にはカバー部材４の下方の部品４１を装着せず、上方の部品４１のみを装着する。
【００５２】
座席６の係合部６４の下縁は脚２の係合部２３の上縁よりも上方にあり、支持レール３の一つの継目３２に座席６の係合部６４及び支持レール３の係合部２３が同時に被さって係合することも可能である。この場合には、その継目３２にカバー部材４の両部品４１を装着しない。
【００５３】
本実施形態では、所定方向に伸長する複数本の横架材３１が間隙３２を隔てて連結される、座席６を支持するための支持レール３と、隣接する一方の横架材３１の端面３１３と他方の横架材３１の端面３１３との間隙３２に差し入りそれら横架材３１の端面３１３の少なくとも一部に当接若しくは近接する差入部４２、並びに、この差入部４２から横架材３１の伸長方向に沿って拡張し横架材３１の端面３１３と交わる当該横架材３１の外周の少なくとも一部に当接若しくは近接する外装部４３を有したカバー部材４とを具備する座席支持用構造体を構成した。本実施形態によれば、複数本の横架材３１を連結して座席６を支持するための支持レール３を構築するに際し、隣接する横架材３１と横架材３１との継目３２に表れる端縁を好適に被覆することができる。
【００５４】
前記横架材３１には、その他の部位よりも突出する突起３１１、３１２が設けられ、その突起３１１、３１２が横架材３１の端面３１３にまで至っている。前記カバー部材４が、前記横架材３１の端部において、前記突起３１１、３１２の端面３１３に当接若しくは近接しかつ同突起３１１、３１２の外周に当接若しくは近接することで、突起３１１、３１２の外周と端面３１３とが交わる鋭利な端縁を被覆する。
【００５５】
前記突起３１１、３１２には、前記支持レール３に支持される座席６が係合し、また前記支持レール３を支持する支持体（脚）２が係合することができる。つまり、突起３１１、３１２は、支持レール３と座席６との結合、または支持レール３と支持体２との結合に利用できる。
【００５６】
前記横架材３１の上方及び下方にそれぞれ前記突起３１１、３１２が設けられ、その上方の側の突起３１１、３１２に前記座席６が係合し、下方の側の突起３１１、３１２に前記支持体２が係合するとともに、前記カバー部材４が上下に分割されており、その一方の部品４１が下方から前記横架材３１の端面３１３と端面３１３との間隙３２に差し入って当該横架材３１の下方の側の端面３１３及び外周を被覆し、他方の部品４１が上方から横架材３１の端面３１３と端面３１３との間隙３２に差し入って当該横架材３１の上方の側の端面３１３及び外周を被覆する。これにより、座席６または支持体２に設けられた係合部６４、２３とカバー部材４との干渉を避けることができ、支持レール３に対する座席６または支持体２の取付位置を任意に設定または柔軟に変更できるようになる。隣接する横架材３１と横架材３１との間隙３２に重なるように、即ち両横架材３１の端部の双方に跨るように座席６の係合部６４が係合する場合には、カバー部材４の上方の部品４１をオミットし、下方の部品４１のみをその間隙３２に装着すればよい。隣接する横架材３１と横架材３１との間隙３２に重なるように支持体２の係合部２３が係合する場合には、カバー部材４の下方の部品４１をオミットして上方の部品４１のみをその間隙３２に装着すればよい。加えて、カバー部材４が上下に分割されていることで、当該カバー部材４を支持レール３に装着しまたは支持レール３から脱離する作業がより容易となる。
【００５７】
前記カバー部材４が、前記横架材３１の端部における、座席６に着く人にとって前方にあたる側の端面３１３及び外周を被覆するので、人の手の届きやすい箇所をカバー部材４により被覆でき、人の手指が横架材３１の鋭利な端縁に触れることを効果的に抑止できる。
【００５８】
前記カバー部材４に関して、前記外装部４３の座席６に着く人にとって後方にあたる側の部分４３４、４３５の幅寸Ｗ２を、同外装部４３の座席６に着く人にとって前方にあたる側の部分４３１、４３２の幅寸Ｗ１よりも大きく設定していることは、図１１に示すように、支持レール３を座席６を設置するスタジアム等の形状に合わせて緩やかに湾曲させる場合において、横架材３１の端面３１３と端面３１３との間隙３２を外装部４３により前後両方から適切に遮蔽するために有効である。
【００５９】
また、前記差入部４２の座席６に着く人にとって前方にあたる側の部分４２１の面積が、同差入部４２の座席６に着く人にとって後方にあたる側の部分４２２の面積よりも大きいことにより、支持レール３に装着したカバー部材４の前方側、即ち人の手の届きやすい側が外れにくくなる。
【００６０】
前記横架材３１の端部が中空であり、隣接する一方の横架材３１の端部及び他方の横架材３１の端部の双方に挿入されてこれらに嵌合する嵌合部５１、並びに、両嵌合部５１の間にあって両横架材３１の端面３１３と端面３１３との間隙３２に差し入り当該端面３１３の少なくとも一部に当接若しくは近接するスペーサ５２を有したジョイント部材５を具備し、前記横架材３１の端面３１３と端面３１３との間隙３２に前記差入部４２及び前記スペーサ５２が介在する構造体としているため、ジョイント部材５を介して容易に複数本の横架材３１を連結でき、かつそのスペーサ５２により横架材３１と横架材３１との継目の部分にカバー部材４が差し入る間隙３２を適切に確保できる。
【００６１】
しかして、本実施形態では、所定方向に伸長し端部が中空である複数本の横架材３１が間隙３２を隔てて連結される、座席６を支持するための支持レール３と、隣接する一方の横架材３１の端部及び他方の横架材３１の端部の双方に挿入されてこれらに嵌合する嵌合部５１、並びに、両嵌合部５１の間にあって両横架材３１の端面３１３と端面３１３との間隙３２に差し入りながらその厚みが当該間隙３２の幅よりも薄く何れか一方または両方の横架材３１の端面３１３から離間しているスペーサ５２を有したジョイント部材５とを具備する座席支持用構造体を構成した。本実施形態によれば、複数本の横架材３１を連結して座席６を支持するための支持レール３を構築したものにおいて、横架材３１の変位により横架材３１に過大な応力が作用することを回避または抑制できる。
【００６２】
加えて、本実施形態では、所定方向に伸長する複数本の横架材３１が間隙３２を隔てて連結される、座席６を支持するための支持レール３と、前記支持レール３に支持される座席６または支持レール３を支持する支持体２に設けられ、当該支持レール３に係合する係合部６４、２３とを具備し、一本の横架材３１の一方側の端部とこれに隣接する別の横架材３１の端部との双方に跨るように何れかの座席６または支持体２の係合部６４、２３が係合する場合、同横架材３１の他方側の端部とこれに隣接する別の横架材３１の端部との双方に跨るように何れかの座席６または支持体２の係合部６４、２３が係合しないように、横架材３１の長さが設定されている座席支持用構造体を構成した。本実施形態によれば、複数本の横架材３１を連結して座席６を支持するための支持レール３を構築したものにおいて、横架材３１の変位により横架材３１に過大な応力が作用することを回避または抑制できる。
【００６３】
前記横架材３１の端面３１３と端面３１３との間隙３２は、例えば３ｍｍないし３．５ｍｍの間の大きさに設定される。
【００６４】
その上で、前記横架材３１の端面３１３と端面３１３との間隙３２に差し入りそれら横架材３１の端面３１３の少なくとも一部に当接若しくは近接する差入部４２、並びに、この差入部４２から横架材３１の伸長方向に沿って拡張し横架材３１の端面３１３と交わる当該横架材３１の外周の少なくとも一部に当接若しくは近接する外装部４３を有したカバー部材４を具備することで、隣接する横架材３１と横架材３１との継目３２に表れる端縁をカバー部材４により好適に被覆することができる。
【００６５】
前記カバー部材４の差入部４２は、前記ジョイント部材５のスペーサ５２よりも柔らかい。これにより、カバー部材４の差入部４２を横架材３１の端面３１３と端面３１３との間隙３２に緊密に嵌合させ両横架材３１の端面３１３に密接させたとしても、横架材３１に過大な応力が作用し難い。
【００６６】
前記支持レール３を支持する支持体２のうちの隣り合う二つの支持体２が互いに別個のコンクリートブロック１１に固定される場合、それら二つの支持体２の一方が係合する横架材３１と、他方が係合する横架材３１とは切り離し、両横架材３１を別体とする。
【００６７】
前記二つの支持体２の一方が係合する横架材３１と、他方が係合する横架材３１との間には、これら両横架材３１から切り離され別体をなしている中間の横架材３１を介在させる。
【００６８】
なお、本発明は以上に詳述した実施形態に限られるものではない。例えば、座席６に背凭れ６２は必須ではなく、座６１のみの座席６を支持レール３に支持させることもできる。座６１の跳ね上げ機構も必須ではない。
【００６９】
支持レール３を構成する横架材３１に、その上面よりも上方に突出する突起（凸条）３１１、３１２や、その下面よりも下方に突出する突起（凸条）３１１、３１２を形成し、その突起３１１、３１２に座席６の係合部６４または脚２の係合部２３を係合させるようにしてもよい。この場合、ちょうど図９を左方または右方に九十度回転させたような様相を呈する。この場合にも、当然ながら、カバー部材４の差入部４２が横架材３１の端面３１３と端面３１３との間隙３２に差し入り、それら端面３１３の少なくとも一部に当接若しくは近接してこれを被覆する。そして、この差入部４２から横架材３１の伸長方向に沿って拡張した外装部４３が、横架材３１の端面３１３と交わる外周の少なくとも一部に当接若しくは近接してこれを被覆する。
【００７０】
上記実施形態では、カバー部材４を上下に二分割していたが、カバー部材４を前後に二分割する態様もとり得る。
【００７１】
横架材３１の端縁を被覆するためのカバー部材４は、必須の構成要素ではない。図１２及び図１３に示すように、ジョイント部材５のスペーサ５２を、その外周が横架材３１の外周の少なくとも一部と面一若しくは略面一となる位置まで外方に張り出させることで、横架材３１の外周面と端面３１３とが交わる端縁を被覆または遮蔽することもできる。この場合のスペーサ５２の厚み幅は、隣接する二本の横架材３１の間隙３２の幅、即ち一方の横架材３１の端面３１３と他方の横架材３１の端面３１３との離間距離と同等若しくは略同等（間隙３２の幅よりも僅かに大きいか僅かに小さい）とすることが好ましい。このスペーサ５２は、横架材３１の端面３１３の少なくとも一部に当接若しくは近接する。特に、このスペーサ５２は、横架材３１の端部において、突起３１１、３１２の端面３１３に当接若しくは近接し、かつ同突起３１１、３１２の外周と面一若しくは略面一となる。
【００７２】
さらに、ジョイント部材５のスペーサ５２を、その外周が横架材３１の外周の少なくとも一部よりも外方に突出する位置まで外方に張り出させることで、横架材３１の外周面と端面３１３とが交わる端縁を被覆または遮蔽することも考えられる。スペーサ５２は、横架材３１の端部において、突起３１１、３１２の端面３１３に当接若しくは近接しながら、同突起３１１、３１２の外周よりも外方に突出することがある。
【００７３】
上記実施形態におけるカバー部材４の外装部４３は必須ではなく、このような外装部４３を有していないカバー部材４、即ち隣接する一方の横架材３の端面３１３と他方の横架材３の端面３１３との間隙３２に差し入りそれら横架材３の端面３１３の少なくとも一部に当接若しくは近接する差入部４２のみを有するカバー部材４を構成することも可能である。この場合のカバー部材４の差入部４２は、図１２及び図１３に示しているスペーサ５２と同様に、横架材３の端部において、突起３１１、３１２を含む部分の端面３１３に当接若しくは近接する。そして、その差入部４２は、横架材３の突起３１１、３１２を含む部分の外周と面一若しくは略面一となるか、それよりも外方に突出することが好ましい。
【００７４】
その他、各部の具体的構成は、本発明の趣旨を逸脱しない範囲で種々変形が可能である。
【符号の説明】
【００７５】
１１…コンクリートブロック
２…支持体（脚）
２３…係合部
３…支持レール
３１…横架材
３１１、３１２…突起（凸条）
３１３…端面
３２…間隙
４…カバー部材
４１…部品
４２…差入部
４３…外装部
５…ジョイント部材
５１…嵌合部
５２…スペーサ
６…座席
６４…係合部
Ｄ１…差入部の厚み
Ｄ２…スペーサの厚み
Ｗ１…外装部の前方側の部分の幅寸
【００７６】
Ｗ２…外装部の後方側の部分の幅寸
【図１】
2020000499.tif 000003
【図２】
2020000499.tif 000004
【図３】
2020000499.tif 000005
【図４】
2020000499.tif 000006
【図５】
2020000499.tif 000007
【図６】
2020000499.tif 000008
【図７】
2020000499.tif 000009
【図８】
2020000499.tif 000010
【図９】
2020000499.tif 000011
【図１０】
2020000499.tif 000012
【図１１】
2020000499.tif 000013
【図１２】
2020000499.tif 000014
【図１３】
2020000499.tif 000015